【手続補正書】
【提出日】平成26年7月8日(2014.7.8)
【手続補正１】
【補正対象書類名】特許請求の範囲
【補正対象項目名】全文
【補正方法】変更
【補正の内容】
【特許請求の範囲】
【請求項１】
無線デバイスによって実行される、無線ローカル・エリア・ネットワーク（ＷＬＡＮ）における無線通信のための方法であって、
無線ノードと交換され、圧縮ヘッダの処理に関連した機能に基づいて、圧縮ヘッダを備えるデータ・パケットの送信を、前記無線ノードとネゴシエートすることと、
データ・パケットを生成することと、ここで、前記データ・パケットはヘッダを備え、前記ヘッダは、前記ヘッダが圧縮ヘッダであることを示す第１のフィールドを備える、
前記データ・パケットを前記無線ノードへ送信することと
を備える方法。
【請求項２】
さらに、前記ヘッダの機能情報要素におけるサブフィールドを用いることによって、前記無線ノードとの関連付け処理の間、前記圧縮ヘッダを備えるデータ・パケットを送信、受信、または送信および受信する機能を示す情報を送信することを備え、および／または、
前記第１のフィールドは、フレーム制御フィールドを備え、
前記フレーム制御フィールドのうちの少なくとも１つのサブフィールドは、前記ヘッダが圧縮されていることを示し、
前記少なくとも１つのサブフィールドは、プロトコル・バージョン、さらなるフラグメント、さらなるデータ、またはオーダのサブフィールドのうちの少なくとも１つを備える、請求項１に記載の方法。
【請求項３】
前記ヘッダは、無線デバイスの関連付け識別子を示す第２のフィールドを備え、
前記無線デバイスは、無線デバイス、および前記無線ノードのうちの１つであり、および／または、
前記ヘッダは、少なくとも１つのアドレス・フィールドを備え、
前記少なくとも１つのアドレス・フィールドは、前記無線ノードの基本サービス・セット識別子のハッシュを備える、請求項１に記載の方法。
【請求項４】
前記データ・パケットは、前記無線ノードの基本サービス・セット識別子、前記無線ノードのアドレス、前記無線デバイスのアドレス、またはキー値のうちの少なくとも１つを示すデータを用いてスクランブルされたフレーム・チェック・シーケンスを備え、好ましくは、
前記キー値は、経時的に変化する、請求項１に記載の方法。
【請求項５】
無線デバイスによって実行される、無線ローカル・エリア・ネットワーク（ＷＬＡＮ）における無線通信のための方法であって、
前記デバイスと交換され、圧縮ヘッダの処理に関連した機能に基づいて、圧縮ヘッダを備えるデータ・パケットの受信を、前記デバイスとネゴシエートすることと、
前記デバイスからデータ・パケットを受信することと、
前記データ・パケットが圧縮ヘッダを備えているか否かを、ヘッダの第１のフィールドに基づいて判定することと、
前記ヘッダが圧縮ヘッダである場合、前記圧縮ヘッダに関連付けられたデータ・パケット・フォーマットにしたがって、前記データ・パケットで受信されたデータを処理することと、
を備える方法。
【請求項６】
前記ヘッダが、圧縮ヘッダである場合、前記デバイスの基本サービス・セット識別子、前記デバイスのアドレス、前記無線デバイスのアドレス、またはキー値のうちの少なくとも１つを識別するために、前記ヘッダのフレーム・チェック・シーケンスをデスクランブルすることによって、前記圧縮ヘッダに基づいて前記データ・パケットを処理することをさらに備え、好ましくは、
前記キー値は、経時的に変化する、請求項５に記載の方法。
【請求項７】
前記圧縮ヘッダに基づいて、前記データ・パケットの宛先アドレスを決定することをさらに含む、請求項５に記載の方法。
【請求項８】
無線ローカル・エリア・ネットワーク（ＷＬＡＮ）における無線通信のための無線デバイスであって、
無線ノードと交換され、圧縮ヘッダの処理に関連した機能に基づいて、圧縮ヘッダを備えるデータ・パケットの送信を、前記無線ノードとネゴシエートする手段と、
データ・パケットを生成する手段と、ここで、前記データ・パケットはヘッダを備え、前記ヘッダは、前記ヘッダが圧縮ヘッダであることを示す第１のフィールドを備える、
前記無線ノードへ前記データ・パケットを送信する手段と、
を備える無線デバイス。
【請求項９】
前記ヘッダの機能情報要素におけるサブフィールドを用いることによって、前記無線ノードとの関連付け処理の間、前記圧縮ヘッダを備えるデータ・パケットを送信、受信、または送信および受信する機能を示す情報を送信する手段、をさらに備え、および／または、
前記第１のフィールドは、フレーム制御フィールドを備え、
前記フレーム制御フィールドのうちの少なくとも１つのサブフィールドは、前記ヘッダが圧縮ヘッダであることを示し、
前記少なくとも１つのサブフィールドは、プロトコル・バージョン、さらなるフラグメント、さらなるデータ、またはオーダのサブフィールドのうちの少なくとも１つを備える、請求項８に記載の無線デバイス。
【請求項１０】
前記ヘッダは、無線デバイスの関連付け識別子を示す第２のフィールドを備え、
前記無線デバイスは、前記無線デバイス、前記無線ノード、および別の無線デバイスのうちの１つであり、および／または、
前記ヘッダは、少なくとも１つのアドレス・フィールドを備え、
前記少なくとも１つのアドレス・フィールドは、前記無線ノードの基本サービス・セット識別子のハッシュを備える、請求項８に記載の無線デバイス。
【請求項１１】
前記データ・パケットは、前記無線ノードの基本サービス・セット識別子、前記無線ノードのアドレス、無線デバイスのアドレス、またはキー値のうちの少なくとも１つを示すデータを用いてスクランブルされたフレーム・チェック・シーケンスを備え、好ましくは、
前記キー値は、経時的に変化する、請求項８に記載の無線デバイス。
【請求項１２】
前記第１のフィールドは、前記データ・パケットのフレーム・チェック・シーケンスが切り詰められていることを示す、請求項８に記載の無線デバイス。
【請求項１３】
前記第１のフィールドは、前記データ・パケットのフレーム・チェック・シーケンスが切り詰められていることを示す、請求項１に記載の方法。
【請求項１４】
無線ローカル・エリア・ネットワーク（ＷＬＡＮ）における無線通信のための無線デバイスであって、
前記デバイスからデータ・パケットを受信する手段と、
デバイスと交換され、圧縮ヘッダの処理に関連した機能に基づいて、圧縮ヘッダを備えるデータ・パケットの受信を、前記デバイスとネゴシエートする手段と、
前記データ・パケットが圧縮ヘッダを備えているか否かを、ヘッダの第１のフィールドに基づいて判定する手段と、
前記ヘッダが圧縮ヘッダである場合、前記圧縮ヘッダに関連付けられたデータ・パケット・フォーマットにしたがって、前記データ・パケットで受信されたデータを処理する手段と、
を備える無線デバイス。
【請求項１５】
処理する手段は、前記ヘッダが圧縮ヘッダである場合、前記デバイスの基本サービス・セット識別子、前記デバイスのアドレス、前記無線デバイスのアドレス、またはキー値のうちの少なくとも１つを識別するために、前記ヘッダのフレーム・チェック・シーケンスをデスクランブルすることによって、前記圧縮ヘッダに基づいて前記データ・パケットを処理するように構成され、好ましくは、
前記キー値は、経時的に変化し、および／または
前記データ・パケットの宛先アドレスを、前記圧縮ヘッダに基づいて決定する手段、をさらに備える請求項１４に記載の無線デバイス。
【請求項１６】
無線ローカル・エリア・ネットワーク（ＷＬＡＮ）における無線通信のためのコンピュータ・プログラム製品であって、
コンピュータで実行された場合、無線デバイスに対して、
請求項１〜７、または１３のうちのいずれかのステップを実行させるための命令群を備えるコンピュータ読取可能な媒体を備える、無線通信のためのコンピュータ・プログラム製品。